(57)【要約】【課題】携帯電話機等の市販されている携帯通信端末を利用し、検品サーバとデータ通信を直接的に行うことで検品作業を実施できるようにする。【解決手段】納品伝票３に、検品サーバ５のＵＲＬと伝票コードとが組み込まれた二次元コード３１を設ける。携帯電話機１で二次元コード３１を読取ると、検品サーバ５との回線が接続されて二次元コード３１のデータが伝送される。検品サーバ５は、二次元コード３１のデータから伝票コードを取得し、検品データベース６を検索して納品データを取得する。また、携帯電話機１に商品コード入力要求画面及び納品数入力画面を表示させる。携帯電話機１で商品コードと納品数が入力されると、検品サーバ５は、取得した納品デー中の当該商品コードで特定される商品の納品予定数に対する実納品数として、入力された納品数を処理する。【選択図】      図１
2006243821.tif 000002
【特許請求の範囲】
【請求項１】
入力部，表示部及びスキャナ部を有した携帯通信端末と、この携帯通信端末がデータ通信に利用するネットワークに接続され、納品伝票の識別コードに対応して、当該納品伝票で管理される納品の物品識別コード，納品予定数等の納品データを記憶してなる検品データベースを有した検品サーバとを具備し、
前記納品伝票には、前記検品サーバにアクセスするためのネットワークアドレスと当該納品伝票の識別コードとが組み込まれた二次元コードが設けられており、
前記携帯通信端末は、前記納品伝票に設けられている前記二次元コードが前記スキャナ部で読取られると、この二次元コードに含まれるネットワークアドレスに従って前記検品サーバにアクセスし、前記検品サーバとの回線が接続されると、前記検品サーバからダウンロードされた画面を前記表示部に表示させ、前記入力部またはスキャナ部から入力されたデータを前記検品サーバに送信する二次元コード処理手段を備え、
前記検品サーバは、前記携帯通信端末で読取られた二次元コードのデータから前記納品伝票の識別コードを取得し、前記検品データベースを検索して、当該納品伝票の識別コードに対応して記憶されている納品データを取得する納品データ取得手段と、この納品データ取得手段により納品データが得られたことを条件に回線接続された前記携帯通信端末に物品識別コードの入力要求画面及び納品数の入力要求画面をダウンロードする画面処理手段と、前記携帯通信端末で前記物品識別コードの入力要求画面に物品識別コードが入力されたことを検知すると、前記納品データ取得手段により得られた納品データから当該物品識別コードに対応した納品予定数を取得する納品予定数取得手段と、前記携帯通信端末で前記納品数の入力要求画面に納品数が入力されると、その納品数を前記納品予定数取得手段により得られた納品予定数に対する実納品数として処理する検品処理手段とを備えたことを特徴とする検品システム。
【請求項２】
前記納品数の入力要求画面には、前記納品予定数取得手段により得られた納品予定数が表示されることを特徴とする請求項１記載の検品システム。
【請求項３】
前記携帯通信端末は、インターネットに接続可能なカメラ付携帯電話機であり、前記検品サーバはインターネット上に置かれていることを特徴とする請求項１記載の検品システム。
【発明の詳細な説明】
【技術分野】
【０００１】
本発明は、物流品、例えば店に入荷される商品の検品システムに関する。
【背景技術】
【０００２】
コンビニエンスストアやスーパーマーケット等のチェーンストアでは、一般に、複数の店舗を統括するための本部が設立されている。そして、本部には本部サーバと呼ばれる本部管理用のコンピュータが設置されており、各店舗にはストアサーバと呼ばれる店舗管理用のコンピュータがそれぞれ設置されている。本部サーバと各店舗サーバとの間は、専用または公衆のネットワークで接続されている。
【０００３】
ストアサーバには、それぞれ自店舗内にある複数のＰＯＳ（Point Of Sales）端末が接続されており、各ＰＯＳ端末で登録処理された各商品の販売データが収集されて集計される。これにより、１店舗における商品別の売上実績数，在庫数等が管理されるようになっている。
【０００４】
また、ストアサーバには、オンラインによる発注及び検品機能が設けられている。すなわち、ストアサーバのオペレータは、各商品の売上実績数や在庫数等から発注が必要な商品を確認し、ストアサーバに発注数等の発注データを入力する。そうすると、この発注データがネットワークを通じて本部サーバに伝送される。本部サーバでは、各店舗からの発注データを元に納品時刻，納品数等の納品スケジュールが決定される。納品業者は、この納品スケジュールに従い各店舗に納品を行う。
【０００５】
各店舗では、納品がある毎に検品作業を実施する。具体的には、納品された商品毎に商品コードと納品数とをストアサーバに入力する。そうすると、この納品データがネットワークを通じて本部サーバに伝送される。本部サーバでは、各店舗から集められた納品データと納品スケジュールのデータとが比較照合され、スケジュールどおり納品が行われたか否かが管理される（例えば、特許文献１参照）。
【特許文献１】特開２００１−０７６２９６号公報
【発明の開示】
【発明が解決しようとする課題】
【０００６】
ところで検品作業は、商品が納品される場所で行った方が効率的であるが、その場所にストアサーバが設置されているとは限らない。そこで、専用のハンディターミナルを使用して納品された商品の商品コード，納品数等を入力し、この入力データをハンディターミナルからストアサーバに例えば無線通信を利用して伝送することによって、ストアサーバへの納品データ入力を代用することは既に行われている。
【０００７】
しかしながらこの場合は、検品専用のハンディターミナルが必要となり、設備コストがかかるという問題があった。また、ハンディターミナルを使用するか否かに関わらずストアサーバがダウンしてしまうと検品作業を行えないという問題もあった。
【０００８】
本発明はこのような事情に基づいてなされたもので、その目的とするところは、携帯電話機等の市販されている携帯通信端末を利用し、検品サーバとデータ通信を直接的に行うことで検品作業を実施することができ、納品される側において、専用のハンディターミナルやストアサーバ等のコンピュータを必要としない検品システムを提供しようとするものである。
【課題を解決するための手段】
【０００９】
本発明は、入力部，表示部及びスキャナ部を有した携帯通信端末と、この携帯通信端末がデータ通信に利用するネットワークに接続され、納品伝票の識別コードに対応して、当該納品伝票で管理される納品の物品識別コード，納品予定数等の納品データを記憶してなる検品データベースを有した検品サーバとを具備した検品システムである。
【００１０】
納品伝票には、検品サーバにアクセスするためのネットワークアドレスと当該納品伝票の識別コードとが組み込まれた二次元コードが設けられている。
【００１１】
携帯通信端末には、納品伝票に設けられている二次元コードがスキャナ部で読取られると、この二次元コードに含まれるネットワークアドレスに従って検品サーバにアクセスし、検品サーバとの回線が接続されると、検品サーバからダウンロードされた画面を表示部に表示させ、入力部またはスキャナ部から入力されたデータを検品サーバに送信する二次元コード処理手段が設けられている。
【００１２】
検品サーバには、携帯通信端末で読取られた二次元コードのデータから納品伝票の識別コードを取得し、検品データベースを検索して、当該納品伝票の識別コードに対応して記憶されている納品データを取得する納品データ取得手段と、この納品データ取得手段により納品データが得られたことを条件に回線接続された携帯通信端末に物品識別コードの入力要求画面及び納品数の入力要求画面をダウンロードする画面処理手段と、携帯通信端末で物品識別コードの入力要求画面に物品識別コードが入力されたことを検知すると、納品データ取得手段により得られた納品データから当該物品識別コードに対応した納品予定数を取得する納品予定数取得手段と、携帯通信端末で納品数の入力要求画面に納品数が入力されると、その納品数を納品予定数取得手段により得られた納品予定数に対する実納品数として処理する検品処理手段とが設けられている。
【００１３】
かかる構成の検品システムにおいては、物品が納品された側のオペレータは、携帯通信端末のスキャナ部で納品伝票に設けられている二次元コードを読取る。そうすると、この二次元コードに含まれるネットワークアドレスに従って携帯通信端末から検品サーバにアクセスされる。そして、携帯通信端末と検品サーバとの回線が接続されると、検品サーバに二次元コードのデータが伝送される。検品サーバでは、この二次元コードのデータから納品伝票の識別コードが得られ、検品データベースが検索されて、当該納品伝票の識別コードに対応して記憶されている納品データが検出される。また、物品識別コードの入力要求画面が携帯通信端末にダウンロードされ、表示部に表示される。これにより、オペレータは、入力部を操作して納品された物品の物品識別コードを入力する。そうすると、検品サーバにおいては、検品データベースから検出されている納品データから入力された物品識別コードに対応した納品予定数が得られる。また、納品数の入力要求画面が携帯通信端末にダウンロードされ、表示部に表示される。これにより、オペレータは、当該物品の納品数を入力する。そうすると、検品サーバにおいては、入力された納品数が当該物品識別コードに対応した納品予定数に対する実納品数として処理される。
【発明の効果】
【００１４】
このように本実施の形態によれば、携帯電話機等の市販されている携帯通信端末を利用し、検品サーバとデータ通信を直接的に行うことで検品作業を実施することができ、納品される側において、専用のハンディターミナルが不要であり設備コストを節約できる上、ストアサーバ等のコンピュータも必要とせず、当該コンピュータがダウンしていても検品作業に影響を及ぼさない検品システムを提供することができる。
【発明を実施するための最良の形態】
【００１５】
以下、本発明を実施するための最良の形態について、図面を用いて説明する。  
なお、この実施の形態は、複数の店舗からそれぞれ入力された発注データを元に本部で発注商品の納品スケジュールを決定し、この納品スケジュールに従い納品業者が各店舗に商品を納品する仕組みのチェーンストアに、本発明の検品システムを適用した場合である。
【００１６】
図１は本実施の形態における検品システムの構成を示す模式図である。同図において、符号１はインターネット２に接続可能なカメラ付携帯電話機であり、既に市販されているものである。このカメラ付携帯電話機（以下、携帯電話機と略称する）１には、数字，文字などの入力が可能な入力部１１と、画像を表示可能な表示部１２が設けられている。また、カメラ機能を利用して二次元コードやバーコードなどをスキャニングすることによりコードデータを読取ることが可能なスキャナ部が設けられている。
【００１７】
ここに、携帯電話機１は、本検品システムにおいて、入力部１１，表示部１２及びスキャナ部を有した携帯通信端末として機能する。すなわち、店舗において、商品の納品を確認した店員は、その検品作業を実施するために、納品の明細が記述された納品伝票３に印刷されている二次元コード３１を携帯電話機１のスキャナ部で読取り操作する。また、納品された各商品４Ａ，４Ｂにそれぞれ付されているバーコード４１を同じく携帯電話機１のスキャナ部で読取り操作する。
【００１８】
バーコード４１は、商品４Ａ，４Ｂ毎に予め設定されている商品コードを表現したものである。商品コードは商品固有のものであり、物品識別コードとして機能する。
【００１９】
二次元コード３１は、図２に示すように、ＵＲＬ（Uniform Resource Locator），検品業務コード，伝票コードなどの情報を表現したものである。ＵＲＬは、インターネット２上に置かれているウェブサーバにアクセスするためのネットワークアドレスであり、本実施の形態では、各店舗を統括する本部によって管理される検品サーバ５のＵＲＬが二次元コード３１に組み込まれている。検品業務コードは、検品サーバ５に対して検品業務の実行を指令するコードである。伝票コードは、１通の納品伝票３に対して一意に割当設定されるコードであり、納品伝票３の識別コードとして機能する。
【００２０】
検品サーバ５には、検品データベース６が設けられている。検品データベース６には、図３に示すように、納品伝票３毎に生成される伝票コードとその納品伝票３に記述されている納品先店舗の店舗名，配送便の便番号及び納品日付等からなる納品伝票データ６１と、納品される商品毎の商品コード，商品名，売価，納品予定数，実納品数等の納品明細データ６２とからなる検品レコード６０が保存されている。
【００２１】
図４は、納品があった店舗において実施される検品作業時において、携帯電話機１の表示部１２に表示される画面の変遷を示す模式図である。また図５は、上記検品作業が実施された際の検品サーバ５の処理動作手順を示す流れ図である。以下、図１乃至図５を用いて、検品作業時の携帯電話機１と検品サーバ５の作用について説明する。
【００２２】
店舗に納品があると、店員は、検品作業を実施する。先ず、携帯電話機１を操作してスキャナ部を動作させるアプリケーションを起動する。次に、携帯電話機１のカメラで納品伝票３に印刷されている二次元コード３１を接写することにより二次元コード３１を読取る（図４の状態Ａ）。
【００２３】
二次元コード３１が読取られると、その二次元コード３１に含まれているＵＲＬが抽出され、表示部１２に表示される（図４の状態Ｂ）。そこで店員は、入力部１１を操作して［接続］を指令する。そうすると、携帯電話機１から当該ＵＲＬによって特定されるインターネット２上のウェブサーバ，つまりは検品サーバ５にアクセスが行われる。これにより、携帯電話機１と検品サーバ５との回線がインターネット２を経由して接続され、二次元コード３１のデータ（検品業務コード，伝票コード等）が検品サーバ５に伝送される。
【００２４】
検品サーバ５においては、携帯電話機１からのアクセスにより回線が接続されると（図５のＳＴ１）、当該携帯電話機１から送られてくる二次元コード３１のデータより業務コードを取得する（図５のＳＴ２）。ここで、検品業務コードであることを確認すると（図５のＳＴ３）、同二次元コード３１のデータより伝票コードを取得する（図５のＳＴ４）。そして、検品データベース６を検索して（図５のＳＴ５）、納品伝票データ６１に当該伝票コードが設定された検品レコード６０の有無を判断する（図５のＳＴ６）。その結果、該当する検品レコード６０が検品データベース６に保存されていることを確認すると、その検品レコード６０の納品伝票データ６１と納品明細データ６２とを取得する（図５のＳＴ７）。また、回線接続された携帯電話機１に対して商品コードの入力要求画面をダウンロード送信する（図５のＳＴ８）。
【００２５】
これにより、携帯電話機１の表示部１２には、商品コードの入力要求画面が表示される。この画面には、納品伝票データ６１中の店舗名と伝票コードが表示されている（図４の状態Ｃ）。そこで店員は、入力部１１を操作して［ＯＫ］を指令した後、携帯電話機１のカメラで納品された商品、例えば商品４Ａに付されているバーコード４１を接写することにより、バーコード４１を読取る（図４の状態Ｄ）。バーコード４１が読取られると、このバーコード４１のデータ（商品コード）が検品サーバ５に伝送される。
【００２６】
検品サーバ５においては、携帯電話機１からバーコード４１のデータである商品コードが送られてくる毎に（図５のＳＴ９）、ＳＴ７の処理で検品データベース６から取得している検品レコード６０から当該商品コードの納品明細データ６２を選択し、商品名，売価，納品予定数を取得する（図５のＳＴ１０）。そして、この商品名，売価，納品予定数が示される納品数入力要求画面を編集して、回線接続された携帯電話機１にダウンロード送信する（図５のＳＴ１１）。
【００２７】
これにより、携帯電話機１の表示部１２には、納品数の入力要求画面が表示される。この画面には、納品数入力対象である商品の商品名，売価，納品予定数が表示されている。また、納品数の入力欄も表示されている（図４の状態Ｅ）。そこで店員は、入力部１１の数字キーを操作して、当該商品４Ａの納品数を入力し、［ＯＫ］を指令する。そうすると、入力された納品数のデータが検品サーバ５に伝送される。
【００２８】
検品サーバ５においては、携帯電話機１から納品数のデータが送られてくると（図５のＳＴ１２）、ＳＴ１０の処理で選択した納品明細データ６２、つまりは商品４Ａに関する納品明細データ６２の実納品数を、その入力された納品数に更新する（図５のＳＴ１３）。しかる後、商品コードの入力要求画面を再度ダウンロード送信する（図５のＳＴ８）。
【００２９】
これにより、携帯電話機１の表示部１２には、商品コードの入力要求画面が再度表示されるので（図４の状態Ｆ）、店員は、入力部１１を操作して［ＯＫ］を指令した後、次の商品、例えば商品４Ｂに付されているバーコード４１を読取る（図４の状態Ｄ）。そうすると、納品数の入力要求画面がダウンロードされて表示部１２に表示されるので、店員は、入力部１１の数字キーを操作して、当該商品４Ｂの納品数を入力し、［ＯＫ］を指令する。かくして、該当する検品レコード６０の納品明細データ６２、つまりは商品４Ｂに関する納品明細データ６２の実納品数データがキー入力された納品数に更新される。
【００３０】
商品コードの入力要求画面が表示されている状態（図４の状態Ｆ）において、納品された全ての商品のバーコード読取り操作を完了すると、店員は、入力部１１を操作して［終了］を指令する。
【００３１】
検品サーバ５においては、［終了］が指令されると（図５のＳＴ１４）、検品データベース６の該当する検品レコード６０を実納品数更新後のデータに書き換えて保存する（図５のＳＴ１５）。
【００３２】
なお、ＳＴ５の処理にて検品データベース６を検索した結果、該当する伝票コードの検品レコード６０を検出できなかった場合には、回線接続された携帯電話機１に対して検品エラー画面をダウンロード送信するものとなっている（図５のＳＴ１６）。
【００３３】
ここに、本実施の形態において、携帯電話機１は、納品伝票３に設けられている二次元コード３１がスキャナ部で読取られると、この二次元コード３１に含まれるＵＲＬに従って検品サーバ５にアクセスし、検品サーバ５との回線が接続されると、検品サーバ５からダウンロードされた画面（商品コード入力要求画面，納品数入力要求画面等）を表示部１２に表示させ、入力部１１またはスキャナ部から入力されたデータ（商品コード，納品数等）を検品サーバ５に送信する二次元コード処理手段を備えている。
【００３４】
また、検品サーバ５は、携帯電話機１で読取られた二次元コード３１のデータから納品伝票３の伝票コードを取得し、検品データベース６を検索して、当該伝票コードに対応して記憶されている納品データ（納品伝票データ６１，納品明細データ６２）を取得する納品データ取得手段（ＳＴ３〜ＳＴ７）と、この納品データ取得手段（ＳＴ３〜ＳＴ７）により納品データが得られたことを条件に、回線接続された携帯電話機１に商品コードの入力要求画面及び納品数の入力要求画面をダウンロードする画面処理手段（ＳＴ８，ＳＴ１１）と、携帯電話機１で商品コードの入力要求画面に商品コードが入力されたことを検知すると、納品データ取得手段（ＳＴ３〜ＳＴ７）により得られた納品データから当該商品コードに対応した納品予定数を取得する納品予定数取得手段（ＳＴ１０）と、携帯電話機１で納品数の入力要求画面に納品数が入力されると、その納品数を納品予定数取得手段（ＳＴ１０）により得られた納品予定数に対する実納品数として処理する検品処理手段（ＳＴ１２）とを備えている。
【００３５】
かかる構成の検品システムであれば、市販されている携帯電話機１が有している既存の機能を利用し、二次元コード３１やバーコード４１などを読取り操作するとともに、インターネット２上の検品サーバ５と双方向のデータ通信を直接的に行うことによって、検品作業を実施することができる。したがって、検品作業専用のハンディターミナルを不要にできるので、設備コストを低減することができる。また、検品作業の際には各店舗に設置されているストアサーバを必要としないので、ストアサーバがダウンしていても検品作業に影響を及ぼさない利点もある。
【００３６】
なお、この発明は前記実施形態そのままに限定されるものではなく、実施段階ではその要旨を逸脱しない範囲で構成要素を変形して具体化できる。  
例えば前記実施の形態では、商品に付されたバーコードを携帯電話機１でスキャニングすることによって、納品された商品の商品コードを入力するようにしたが、各商品にそれぞれその商品固有の情報を持たせた二次元コードを付し、この二次元コードを携帯電話機１でスキャニングすることによって、納品された商品の商品コードを入力するようにしてもよい。また、バーコードが汚れて読取れなかった場合等には、入力部１１の数字キーを用いて商品コードを入力することも可能である。
【００３７】
また、前記実施の形態では携帯通信端末の一例としてカメラ付の携帯電話機を用いたが、スキャナ機能を有するＰＤＡ（Personal Digital Assistant）等のモバイル機器を使用して、本発明の検品システムを構築することも可能である。
【００３８】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００３９】
【図１】本発明の一実施の形態である検品システムの全体構成を示す模式図。
【図２】同実施の形態で納品伝票に印刷される二次元コードのデータ構造を示す模式図。
【図３】同実施の形態で検品データベースに保存される検品レコードのデータ構造を示す模式図。
【図４】同実施の形態において、検品作業時に携帯電話機の表示部に表示される画面の変遷を示す模式図。
【図５】同実施の形態において、検品作業が実施された際の検品サーバの処理動作手順を示す流れ図。
【符号の説明】
【００４０】
１…携帯電話機、２…インターネット、３…納品伝票、４Ａ，４Ｂ…商品、５…検品サーバ、６…検品データベース、３１…二次元コード、４１…バーコード。
【図１】
2006243821.tif 000003
【図２】
2006243821.tif 000004
【図３】
2006243821.tif 000005
【図４】
2006243821.tif 000006
【図５】
2006243821.tif 000007